(57)【要約】【課題】主回路端子の接続充電部への取付け，組立作業の簡便性を確保しつつ、端子カバーが簡単に変形したり分解して開閉器本体フレームの取付座から外れたりすることがない保形性と信頼性の高い開閉器の主回路端子カバーを提供する。【解決手段】開閉器の本体フレームから外方に引出した各相の主回路端子と該主回路端子に接続した外部接続導体との接続充電部を各相別に包囲して前記本体フレームに立設した樹脂成型品になる筒状の主回路端子カバー５において、その端子カバー５を周方向に二分割した半筒体５ａと５ｂからなる半割り構造で構成し、かつその一方の突合せ端部は薄肉ヒンジ部５ｃを介して相互連結し、他方の突合せ端部には半筒体５ａ，５に一体成型した係合爪５ｄ，爪掛け座５ｅからなる係合式の留め具５ｆを設け、該留め具５ｆを介して半筒体５ａと５ｂの間を結合して筒状体の主回路端子カバー５を構築する。【選択図】図１
2015038844.tif 000002
【特許請求の範囲】
【請求項１】
開閉器の本体フレームから外方に引出した各相の主回路端子と該主回路端子に接続した外部接続導体との接続充電部を各相別に包囲して前記本体フレームに立設した樹脂成型品になる筒状の主回路端子カバーであって、
前記端子カバーを周方向に二分割した半割り構造とし、前記主回路端子の接続充電部を包囲して半割り構造の半筒体を筒状に突き合わせた上で、該半筒体の突合せ端部に設けた係合式の留め具を介して半筒体の間を結合したことを特徴とする開閉器の主回路端子カバー。
【請求項２】
請求項１に記載の主回路端子カバーにおいて、半割り構造になる前記半筒体の一方の突合せ端部が薄肉ヒンジ部を介して相互連結され、各半筒体の他方の突合せ端部に留め具の係合爪，爪掛け座を設けたことを特徴とする開閉器の主回路端子カバー。
【請求項３】
請求項１に記載の主回路端子カバーにおいて、半割り構造になる前記半筒体を分離した上で、各半筒体の両端の突合せ端部にそれぞれ留め具の係合爪，および爪掛け座を設けたことを特徴とする開閉器の主回路端子カバー。
【請求項４】
請求項１ないし３のいずれかの項に記載の主回路端子カバーにおいて、係合継手の係合爪，爪掛け座を半筒体に一体成型したことを特徴とする開閉器の主回路端子カバー。
【発明の詳細な説明】
【技術分野】
【０００１】
本発明は、高圧真空遮断器などを実施対象とする開閉器に備えた主回路端子カバーの組立構造に関する。
【背景技術】
【０００２】
まず、頭記の真空遮断器を例に、その本体フレームに装着した主回路端子カバーの従来構造を図５（ａ），（ｂ）に示す。図において、１は真空遮断器の真空バルブ（不図示）を内装した本体フレーム、２は本体フレーム１の前面に配した操作パネル、２ａは開閉操作ハンドル、３は各相の真空バルブから引き出して本体フレーム１の上面に配置した入力，出力側の主回路端子（バー導体）、４は主回路端子３に接続した外部接続導体、５は各相の主回路端子３と外部接続導体４との間の接続充電部を包囲して本体フレーム１のカバー取付座１ａに嵌着して立設した絶縁物製の主回路端子カバーであり、この主回路端子カバー５は、本体フレーム上に配列した各主回路端子３の間に異物，小動物などが入り込んで短絡事故を引き起こすのを防ぐ防護の役目を果たしている。なお、図示例の外部接続導体４は電線でその接続端部には圧着端子４ａを取付け、該圧着端子４ａを前記主回路端子３に締結ボルト６により固着して接続している。
【０００３】
ここで、前記の主回路端子カバー５は、一般にポリプロピレンなどの樹脂成型品で作られた筒状体になり、この筒状端子カバー５を主回路端子３と外部接続導体４との接続充電部を包囲して本体フレーム１の上に組み付けるには、その作業手順として最初に端子カバー５を外部接続導体４に通しておき、この外部接続導体４の圧着端子４ａを主回路端子５にボルト締結した後に、端子カバー５を引き下ろして本体フレーム１のカバー取付座１ａに嵌着支持する。
【０００４】
この場合に、作業者がうっかり取付け作業の手順を誤って端子カバー５を外部接続導体４に通しておくよりも前に外部接続導体４を主回路端子３に接続してボルト締結すると、後から端子カバー５を所定の位置に装着できず、そのために締結したボルト６を外して外部接続導体４を主回路端子３から切り離した上で、端子カバー５の取付け作業をやり直しなければならない不便さがある。
【０００５】
一方、前記した端子カバー５の取付け作業を簡便化するために、樹脂製の端子カバー５を予め渦巻き状に成型しておき、主回路端子３と外部接続導体４との間を接続した後でも、外部接続導体４を接続したままの状態で端子カバーを着脱できるようにした開閉器の主回路端子カバーが特許文献１に開示されている。
【先行技術文献】
【特許文献】
【０００６】
【特許文献１】実開昭６３−７７２２５号公報（図１−図２）
【発明の概要】
【発明が解決しようとする課題】
【０００７】
ところで、前記した渦巻き状の主回路端子カバー５は、外力を受けると簡単に変形したり、取付け座１ａから外れたりしないことが短絡事故防止の面で要求される。
かかる点、先記の特許文献１に開示されている渦巻き状の端子カバーは、異物などが当たって外力を受けると容易に変形して姿勢が傾き、本体フレーム１の取付座１ａから外れるおそれがあって保形性の面で高い信頼を確保できない課題がある。
【０００８】
本発明は上記の点に鑑みなされたものであり、その目的は主回路端子の接続充電部への取付け，組立作業の簡便性を確保しつつ、実使用中に外方から異物などが当たっても、筒状の端子カバーが変形したり、分解して開閉器本体フレームの取付座から簡単に外れたりすることがない高信頼性の主回路端子カバーを提供することにある。
【課題を解決するための手段】
【０００９】
上記目的を達成するために、本発明によれば、開閉器の本体フレームから外方に引出した各相の主回路端子と該主回路端子に接続した外部接続導体との接続充電部を各相別に包囲して前記本体フレームに立設した樹脂成型品になる筒状の主回路端子カバーにおいて、
前記端子カバーを周方向に二分割した半割り構造とし、前記主回路端子の接続充電部を包囲して半割り構造の半筒体を筒状に突き合わせた上で、該半筒体の突合せ端部に設けた係合式の留め具を介して半筒体の間を結合するものとし（請求項１）、具体的には次記のような態様で構成することができる。
（１）半割り構造になる前記半筒体の一方の突合せ端部が薄肉ヒンジ部を介して相互連結され、各半筒体の他方の突合せ端部に留め具の係合爪，爪掛け座を設ける（請求項２）。
（２）半割り構造になる前記半筒体を分離した上で、各半筒体の両端の突合せ端部にそれぞれ留め具の係合爪，および爪掛け座を設ける（請求項３）。
（３）前記係合継手の係合爪，爪掛け座を半筒体に一体成型する（請求項４）。
【発明の効果】
【００１０】
上記構成の主回路端子カバーによれば、開閉器の主回路端子に外部接続導体を接続した後の状態でも、この接続充電部を包囲して開閉器の本体フレー上に端子カバーを装着，脱着できる。しかも、この主回路端子カバーを半割り構造として構成し、その半筒体の端部を突合せて筒状体に組立てた状態で、その突合せ端部間を係合式の留め具を介して連結したことにより、開閉器の実使用中に外方から異物などが当たっても、半割り構造の端子カバーが簡単に変形したり分解して開閉器本体フレームの取付座から外れたりすることがなく、これにより主回路端子カバーの高い保形性と信頼性を確保することができる。
【図面の簡単な説明】
【００１１】
【図１】本発明の実施例１に係わる主回路端子カバーの構造図であって、（ａ）は組立状態の外形斜視図、（ｂ）は（ａ）の半割り構造の半筒体を開いた展開状態の外形斜視図である。
【図２】図１（ｂ）に対応する平面図である。
【図３】図１（ａ）における係合式留め具の係合状態の断面図である。
【図４】本発明の実施例２に係わる主回路端子カバーの分解斜視図である。
【図５】真空遮断器に適用した主回路端子カバーの従来構造図であって、（ａ）は遮断器全体の外観斜視図、（ｂ）は（ａ）の本体フレーム上に立設して主回路端子の接続充電部を包囲した主回路端子カバーの拡大断面図である。
【発明を実施するための形態】
【００１２】
以下、本発明の実施の形態を図１〜図３、および図４に示す実施例１，および実施例２に基づいて説明する。
【実施例１】
【００１３】
図１〜図３に示す実施例１において、樹脂成型品で作られた円筒形の主回路端子カバー５は、半筒体５ａと５ｂの周方向端部を突合せて組立てた半割り構造になり、その半筒体５ａと５ｂの一方側の突合せ端部の間が半筒体５ａ，５ｂと一体に成型した薄肉ヒンジ部５ｃを介して相互連結され、他方の突合せ端部には係合爪（雄形部材）５ｄと爪掛け材（雌形部材）５ｅを組とする上下２組の差込み係合式の留め具５ｆを介して半筒体５ａと５ｂとの間を着脱可能に連結結合するようにしている。
【００１４】
ここで、前記留め具５ｆの係合爪５ｄ，爪掛け座は、それぞれ半筒体５ａ，５ｂの端縁部の外周面側に一体成型されており、図３で示すように係合爪５ｄを爪掛け座５ｅの差込穴に図示矢印方向から差し込むことにより、係合爪５ｄが爪掛け座５ｅにスナップフィット結合される。
【００１５】
上記の組立構造によれば、図５に示した開閉器の主回路端子３に外部接続導体４を接続した後の状態でも、この接続充電部を包囲して開閉器の本体フレー１に主回路端子カバー５を装着，脱着できる。しかも、この主回路端子カバー５を周方向に二分割した半筒体５ａと５ｂからなる半割り構造体で構成し、その半筒体５ａと５ｂの端部を突合せて筒状に組立てた状態で、その突合せ端部間を係合式の留め具５ｆを介して連結したことにより、外方から異物などが当たっても、半割り構造の端子カバー５が簡単に変形したり分解して開閉器本体フレーム１の取付座１ａ（図５参照）から外れたりすることがなく、これにより主回路端子カバー５の高い保形性と信頼性を確保することができる。
【実施例２】
【００１６】
次に本発明の請求項３に対応する実施例２の端子カバー構造を図４に示す。この実施例２では、主回路端子カバー５を構成している半割り構造の半筒体５ａと５ｂは分離しており、各半筒体５ａ，５ｂの周方向両端部には、先記の実施例１で述べたと同様な構造になる係合式留め具５ｆの係合爪５ｄと爪掛け座５ｅを対として、図示のように上下二箇所で互いに対峙する位置に一体成型されている。
【００１７】
上記の組立構造により、図５のように主回路端子３と外部接続導体４との接続充電部を包囲して開閉器の本体フレーム上に立設するには、予め分離構成した半筒体５ａと５ｂを外周側から向かい合わせに突合せ、その両端部の留め具５ｆを掛け合わせる簡易な作業で組み立てて、先記実施例１と同様な効果を奏することかできる。
【００１８】
なお、図示実施例１，２における留め具５の係合爪５ｄ，爪掛け座５ｅの構造は一例を示したものであって、この構造に限定されることなく別な構造を採用してもよい。
【符号の説明】
【００１９】
１    開閉器の本体フレーム
１ａ  カバー取付座
３    主回路端子
４    外部接続導体
５    主回路端子カバー
５ａ，５ｂ  半筒体
５ｃ  薄肉ヒンジ部
５ｄ  係合爪
５ｅ  爪掛け座
５ｆ  留め具
【図１】
2015038844.tif 000003
【図２】
2015038844.tif 000004
【図３】
2015038844.tif 000005
【図４】
2015038844.tif 000006
【図５】
2015038844.tif 000007